(57)【要約】  複数の画像出力装置と少なくとも１つの情報端末と画像供給装置とを有する画像表示システムであって、画像供給装置は、複数の画像出力装置それぞれに表示させる複数の画像の画像信号を生成し、複数の表示領域のそれぞれに複数の画像信号のいずれかによる画像を自装置の表示部に表示し、複数の表示領域と複数の画像出力装置との対応付けを示す表示画像識別入力及びいずれかの表示領域を選択する表示領域選択入力を受け付ける。画像供給装置は、表示画像識別入力に従い、各表示領域に表示される画像の画像信号を各表示領域に対応付けられた画像出力装置へ送信し、表示領域選択入力に従い、選択された表示領域の画像を出力する画像出力装置へ画像転送要求を送信する。画像出力装置は、画像信号を受信し、それに基づく画像を出力し、画像転送要求を受信すると、受信した画像信号を情報端末へ送信する。情報端末は、画像信号を受信し、それに基づく画像を表示する。
2010021047.tif 000002
【特許請求の範囲】
【請求項１】
複数の画像出力装置と、少なくとも１つの情報端末と、前記画像出力装置及び前記情報端末に画像信号を供給する画像供給装置とを有する画像表示システムであって、
前記画像供給装置は、
前記複数の画像出力装置それぞれに表示させる複数の画像の画像信号を生成する画像供給装置側制御部と、
複数の表示領域のそれぞれに、前記複数の画像信号のいずれかによる画像を表示する画像供給装置側表示部と、
前記複数の表示領域と前記複数の画像出力装置との対応付けを示す表示画像識別入力、および、前記複数の表示領域のいずれかを選択する表示領域選択入力と、を受け付け、これらの各入力を前記画像供給装置側制御部へ通知する第１の入力手段と、を有し、
前記画像供給装置側制御部は、前記第１の入力手段より前記表示画像識別入力が通知されると、各表示領域に表示される画像の画像信号を各表示領域に対応付けられた画像出力装置へ送信し、前記第１の入力手段より前記表示領域選択入力が通知されると、選択された表示領域に表示される画像を出力する画像出力装置に対し、送信した画像信号を前記情報端末へ転送することを要求する画像転送要求を送信し、
前記画像出力装置は、
前記画像供給装置側制御部から送信される画像信号を受信する画像出力装置側制御部と、
前記画像出力装置側制御部が受信した画像信号に基づく画像を出力する画像出力部と、を有し、
前記画像出力装置側制御部は、前記画像信号を受信すると、該受信した画像信号に基づく画像を前記画像出力部に出力させ、前記画像転送要求を受信すると、前記受信した画像信号を前記情報端末側制御部へ送信し、
前記情報端末は、
画像信号に基づく画像を表示する情報端末側表示部と、
前記情報端末側表示部に表示させる画像の画像信号を受信する情報端末側制御部と、を有し、
前記情報端末側制御部は、前記画像信号を受信すると、該受信した画像信号に基づく画像を前記情報端末側表示部に表示させる画像表示システム。
【請求項２】
請求項１に記載の画像表示システムにおいて、
前記情報端末は、前記複数の画像出力装置のいずれかを選択する画像出力装置選択入力を受け付け、前記画像出力装置選択入力を前記情報端末装置側制御部へ通知する第２の入力手段を有し、
前記情報端末側制御部は、前記第２の入力手段より前記画像出力装置選択入力が通知されると、前記画像出力装置選択入力に示される画像出力装置に対し、該画像出力装置が受信した画像信号の送信を要求する画像送信要求を送信し、その後、前記画像出力装置から送信された画像信号を受信すると、該受信した画像信号に基づく画像を前記情報端末側表示部に表示させ、
前記画像出力装置側制御部は、前記画像送信要求を受信すると、前記画像供給装置から受信した画像信号を前記情報端末側制御部へ送信する画像表示システム。
【請求項３】
複数の画像出力装置と、少なくとも１つの情報端末とともに画像表示システムを構成し、前記画像出力装置及び前記情報端末に画像信号を供給する画像供給装置であって
前記複数の画像出力装置それぞれに表示させる複数の画像の画像信号を生成する画像供給装置側制御部と、
複数の表示領域のそれぞれに、前記複数の画像信号のいずれかによる画像を表示する画像供給装置側表示部と、
前記複数の表示領域と前記複数の画像出力装置との対応付けを示す表示画像識別入力、および、前記複数の表示領域のいずれかを選択する表示領域選択入力と、を受け付け、これらの各入力を前記画像供給装置側制御部へ通知する第１の入力手段と、を有し、
前記画像供給装置側制御部は、前記第１の入力手段より前記表示画像識別入力が通知されると、各表示領域に表示される画像の画像信号を各表示領域に対応付けられた画像出力装置へ送信し、前記第１の入力手段より前記表示領域選択入力が通知されると、選択された表示領域に表示される画像を出力する画像出力装置に対し、送信した画像信号を前記情報端末へ転送することを要求する画像転送要求を送信する画像供給装置。
【請求項４】
少なくとも１つの情報端末と、画像信号を供給する画像供給装置とともに画像表示システムを構成する画像出力装置であって、
前記画像供給装置から送信される画像信号を受信する画像出力装置側制御部と、
前記画像出力装置側制御部が受信した画像信号に基づく画像を出力する画像出力部と、を有し、
前記画像出力装置側制御部は、前記画像信号を受信すると、該受信した画像信号に基づく画像を前記画像出力部に出力させ、前記画像供給装置が送信した画像信号を前記情報端末へ転送することを要求する画像転送要求を受信すると、前記受信した画像信号を前記情報端末へ送信する画像出力装置。
【請求項５】
請求項４に記載の画像出力装置であって、
前記画像出力装置側制御部は、前記画像出力装置が受信した画像信号の送信を要求する画像送信要求を受信すると、前記画像供給装置から受信した画像信号を前記情報端末へ送信する画像出力装置。
【請求項６】
複数の画像出力装置と、画像信号を供給する画像供給装置とともに画像表示システムを構成する情報端末であって、
画像信号に基づく画像を表示する情報端末側表示部と、
前記情報端末側表示部に表示させる画像の画像信号を受信する情報端末側制御部と、
前記複数の画像出力装置のいずれかを選択する画像出力装置選択入力を受け付け、前記画像出力装置選択入力を前記情報端末装置側制御部へ通知する第２の入力手段とを有し、
前記情報端末側制御部は、前記第２の入力手段より前記画像出力装置選択入力が通知されると、前記画像出力装置選択入力に示される画像出力装置に対し、該画像出力装置が受信した画像信号の送信を要求する画像送信要求を送信し、その後、前記画像出力装置から送信された画像信号を受信すると、該受信した画像信号に基づく画像を前記情報端末側表示部に表示させる情報端末。
【請求項７】
複数の画像出力装置それぞれに表示させる複数の画像の画像信号を生成する画像供給装置側制御部と、複数の表示領域のそれぞれに、前記複数の画像信号のいずれかによる画像を表示する画像供給装置側表示部とを具備する画像供給装置と、前記画像供給装置側制御部から送信される画像信号を受信する画像出力装置側制御部と、該画像出力装置側制御部が受信した画像信号に基づく画像を出力する画像出力部とを具備する複数の画像出力装置と、画像信号に基づく画像を表示する情報端末側表示部と、該情報端末側表示部に表示させる画像の画像信号を受信する情報端末側制御部とを具備する少なくとも１つの情報端末と、を有する画像表示システムにおける画像表示方法であって、
前記複数の表示領域と前記複数の画像出力装置との対応付けを示す表示画像識別入力、および、前記複数の表示領域のいずれかを選択する表示領域選択入力とを受け付け、これらの各入力を前記画像供給装置側制御部へ通知する処理と、
前記表示画像識別入力が通知されると、前記画像供給装置側制御部が各表示領域に表示される画像の画像信号を各表示領域に対応付けられた画像出力装置へ送信し、前記表示領域選択入力が通知されると、前記画像供給装置側制御部が、選択された表示領域に表示される画像を出力する画像出力装置に対し、送信した画像信号を前記情報端末へ転送することを要求する画像転送要求を送信する処理と、
前記画像出力装置側制御部が、前記画像信号を受信すると、該受信した画像信号に基づく画像を前記画像出力部に出力させ、前記画像転送要求を受信すると、前記受信した画像信号を前記情報端末側制御部へ送信する処理と、
前記情報端末側制御部が、前記画像信号を受信すると、該受信した画像信号に基づく画像を前記情報端末側表示部に表示させる処理とを有する画像表示方法。
【請求項８】
複数の画像出力装置と、少なくとも１つの情報端末とともに画像表示システムを構成し、前記複数の画像出力装置それぞれに表示させる複数の画像の画像信号を生成する画像供給装置側制御部と、複数の表示領域のそれぞれに、前記複数の画像信号のいずれかによる画像を表示する画像供給装置側表示部とを有する画像供給装置に、
前記複数の表示領域と前記複数の画像出力装置との対応付けを示す表示画像識別入力、および、前記複数の表示領域のいずれかを選択する表示領域選択入力とを受け付け、これらの各入力を前記画像供給装置側制御部へ通知する機能と、
前記表示画像識別入力が通知されると、前記画像供給装置側制御部が各表示領域に表示される画像の画像信号を各表示領域に対応付けられた画像出力装置へ送信し、前記表示領域選択入力が通知されると、前記画像供給装置側制御部が、選択された表示領域に表示される画像を出力する画像出力装置に対し、送信した画像信号を前記情報端末へ転送することを要求する画像転送要求を送信する機能とを実現させるためのプログラム。
【請求項９】
少なくとも１つの情報端末と、画像信号を供給する画像供給装置とともに画像表示システムを構成し、前記画像供給装置から送信される画像信号を受信する画像出力装置側制御部と、該画像出力装置側制御部が受信した画像信号に基づく画像を出力する画像出力部とを有する画像出力装置に、
前記画像出力装置側制御部が、前記画像信号を受信すると、該受信した画像信号に基づく画像を前記画像出力部に出力させ、前記画像供給装置が送信した画像信号を前記情報端末へ転送することを要求する画像転送要求を受信すると、前記受信した画像信号を前記情報端末へ送信する機能を実現させるためのプログラム。
【請求項１０】
複数の画像出力装置と、画像信号を供給する画像供給装置とともに画像表示システムを構成し、画像信号に基づく画像を表示する情報端末側表示部と、該情報端末側表示部に表示させる画像の画像信号を受信する情報端末側制御部とを有する情報端末に、
前記複数の画像出力装置のいずれかを選択する画像出力装置選択入力を受け付け、前記画像出力装置選択入力を前記情報端末装置側制御部へ通知する機能と、
前記画像出力装置選択入力が通知されると、前記情報端末側制御部が、前記画像出力装置選択入力に示される画像出力装置に対し、該画像出力装置が受信した画像信号の送信を要求する画像送信要求を送信し、その後、前記情報端末側制御部が、前記画像出力装置選択入力に示される画像出力装置から送信された画像信号を受信すると、該受信した画像信号に基づく画像を前記情報端末側表示部に表示させる機能を実現させるためのプログラム。
【発明の詳細な説明】
【技術分野】
【０００１】
本発明は、ネットワークで接続された画像供給装置、画像出力装置及び情報端末を備える画像表示システム、画像表示方法及びプログラムに関する。
【背景技術】
【０００２】
近年、プレゼンテーションにおいて、コンピュータ等の画像供給装置にデジタルデータとして格納されているプレゼンテーション資料を、大型液晶ディスプレイやプロジェクター等の画像を出力する画像出力装置によって拡大して表示させることにより、プレゼンテーションの聴講者にプレゼンテーションの内容を視認させることが多くなってきている。【０００３】
プレゼンテーションにおいて、そのプレゼンテーションの聴講者に視認させるプレゼンテーション資料は、例えば、画像作成用のアプリケーションで作成された資料や表計算用のアプリケーションで作成された資料等、複数の資料におよぶ場合が多い。【０００４】
複数のプレゼンテーション資料を使用してプレゼンテーションを行う場合、説明の状況に合わせて聴講者に視認させるプレゼンテーション資料の画像を切替える必要があり、プレゼンテーションの発表者に負担がかかっていた。【０００５】
そこで、複数のプレゼンテーション資料の画像を同時に表示できる技術が求められ、それを可能にする技術として、例えば、特開２００４−５４１３４号公報に開示されているものがある。【０００６】
特開２００４−５４１３４号公報に開示されている技術では、プロジェクターが複数のコンピュータから供給される画像データを受信し、受信した画像データを１画面の画像データに合成する。そして、プロジェクターは、合成された画像データに基づく画像を投射する。この技術を利用することにより、複数のプレゼンテーション資料の画像を同時に表示することができる。【０００７】
特開２００４−５４１３４号公報に開示されている技術では、複数のプレゼンテーション資料の画像をプロジェクターにより同時に表示するために、複数のプレゼンテーション資料をそれぞれ格納してプロジェクターに供給する複数のコンピュータを準備する必要があり、さらに、複数表示画面の切り替えを行う場合には、プレゼンテーションの実施中にも複数のコンピュータを操作しなくてはならないという問題点がある。【０００８】
また、複数のプレゼンテーション資料の画像を１画面に合成して表示すると、それぞれのプレゼンテーション資料の画像を個別に表示する場合に比べ、プレゼンテーション資料の画像の文字等が縮小されて表示される。そのため、プレゼンテーションの聴講者が文字等を判読しにくくなり、プレゼンテーション資料の画像の視認性が損なわれるという問題点がある。【０００９】
ここで、最近普及してきているネットワークに対応したプロジェクターを利用することにより、ネットワーク上に複数のプロジェクターを配置し、それぞれのプロジェクターに異なるプレゼンテーション資料の画像を投射させる方法がある。【００１０】
この方法を利用すれば、複数のプレゼンテーション資料の画像をそれぞれ異なるプロジェクターによって投射させることができるため、プレゼンテーション資料の画像の文字等が縮小されて表示されることはない。従って、プレゼンテーション資料の画像の視認性が損なわれるという問題点は解決することができる。【００１１】
しかしながら、ネットワークに対応したプロジェクターを利用した場合でも、メモリー機能を有さないプロジェクターを用いる場合には、それぞれ異なるプレゼンテーション資料を格納し、プロジェクターに供給するコンピュータを複数準備する必要があるという問題点は解決できない。【００１２】
また、複数のプレゼンテーション資料の画像をそれぞれ異なるプロジェクターによって投射させた場合、プレゼンテーションの聴講者は、発表者の説明を聞き逃したり、一時的に離席したりした際に、現在注目すべきプレゼンテーション資料の画像がわからなくなるという問題点がある。
【発明の開示】
【００１３】
本発明は、１台の画像供給装置に格納されている複数の資料の画像をそれぞれ異なる画像出力装置によって出力させるとともに、出力されている複数の資料の画像のうち、現在注目すべき資料の画像を聴講者に明確に示すことができる画像表示システム、画像供給装置、画像出力装置、情報端末、画像供給方法及びプログラムを提供することを目的とする。
【００１４】
上記目的を達成するために本発明は、
複数の画像出力装置と、少なくとも１つの情報端末と、前記画像出力装置及び前記情報端末に画像信号を供給する画像供給装置とを有する画像表示システムであって、
前記画像供給装置は、
前記複数の画像出力装置それぞれに表示させる複数の画像の画像信号を生成する画像供給装置側制御部と、
複数の表示領域のそれぞれに、前記複数の画像信号のいずれかによる画像を表示する画像供給装置側表示部と、
前記複数の表示領域と前記複数の画像出力装置との対応付けを示す表示画像識別入力、および、前記複数の表示領域のいずれかを選択する表示領域選択入力と、を受け付け、これらの各入力を前記画像供給装置側制御部へ通知する第１の入力手段と、を有し、
前記画像供給装置側制御部は、前記第１の入力手段より前記表示画像識別入力が通知されると、各表示領域に表示される画像の画像信号を各表示領域に対応付けられた画像出力装置へ送信し、前記第１の入力手段より前記表示領域選択入力が通知されると、選択された表示領域に表示される画像を出力する画像出力装置に対し、送信した画像信号を前記情報端末へ転送することを要求する画像転送要求を送信し、
前記画像出力装置は、
前記画像供給装置側制御部から送信される画像信号を受信する画像出力装置側制御部と、
前記画像出力装置側制御部が受信した画像信号に基づく画像を出力する画像出力部と、を有し、
前記画像出力装置側制御部は、前記画像信号を受信すると、該受信した画像信号に基づく画像を前記画像出力部に出力させ、前記画像転送要求を受信すると、前記受信した画像信号を前記情報端末側制御部へ送信し、
前記情報端末は、
画像信号に基づく画像を表示する情報端末側表示部と、
前記情報端末側表示部に表示させる画像の画像信号を受信する情報端末側制御部と、を有し、
前記情報端末側制御部は、前記画像信号を受信すると、該受信した画像信号に基づく画像を前記情報端末側表示部に表示させる。
【００１５】
また、複数の画像出力装置と、少なくとも１つの情報端末とともに画像表示システムを構成し、前記画像出力装置及び前記情報端末に画像信号を供給する画像供給装置であって
前記複数の画像出力装置それぞれに表示させる複数の画像の画像信号を生成する画像供給装置側制御部と、
複数の表示領域のそれぞれに、前記複数の画像信号のいずれかによる画像を表示する画像供給装置側表示部と、
前記複数の表示領域と前記複数の画像出力装置との対応付けを示す表示画像識別入力、および、前記複数の表示領域のいずれかを選択する表示領域選択入力と、を受け付け、これらの各入力を前記画像供給装置側制御部へ通知する第１の入力手段と、を有し、
前記画像供給装置側制御部は、前記第１の入力手段より前記表示画像識別入力が通知されると、各表示領域に表示される画像の画像信号を各表示領域に対応付けられた画像出力装置へ送信し、前記第１の入力手段より前記表示領域選択入力が通知されると、選択された表示領域に表示される画像を出力する画像出力装置に対し、送信した画像信号を前記情報端末へ転送することを要求する画像転送要求を送信する。
【００１６】
また、少なくとも１つの情報端末と、画像信号を供給する画像供給装置とともに画像表示システムを構成する画像出力装置であって、
前記画像供給装置から送信される画像信号を受信する画像出力装置側制御部と、
前記画像出力装置側制御部が受信した画像信号に基づく画像を出力する画像出力部と、を有し、
前記画像出力装置側制御部は、前記画像信号を受信すると、該受信した画像信号に基づく画像を前記画像出力部に出力させ、前記画像供給装置が送信した画像信号を前記情報端末へ転送することを要求する画像転送要求を受信すると、前記受信した画像信号を前記情報端末へ送信する。
【００１７】
また、複数の画像出力装置と、画像信号を供給する画像供給装置とともに画像表示システムを構成する情報端末であって、
画像信号に基づく画像を表示する情報端末側表示部と、
前記情報端末側表示部に表示させる画像の画像信号を受信する情報端末側制御部と、
前記複数の画像出力装置のいずれかを選択する画像出力装置選択入力を受け付け、前記画像出力装置選択入力を前記情報端末装置側制御部へ通知する第２の入力手段とを有し、
前記情報端末側制御部は、前記第２の入力手段より前記画像出力装置選択入力が通知されると、前記画像出力装置選択入力に示される画像出力装置に対し、該画像出力装置が受信した画像信号の送信を要求する画像送信要求を送信し、その後、前記画像出力装置から送信された画像信号を受信すると、該受信した画像信号に基づく画像を前記情報端末側表示部に表示させる。
【００１８】
また、複数の画像出力装置それぞれに表示させる複数の画像の画像信号を生成する画像供給装置側制御部と、複数の表示領域のそれぞれに、前記複数の画像信号のいずれかによる画像を表示する画像供給装置側表示部とを具備する画像供給装置と、前記画像供給装置側制御部から送信される画像信号を受信する画像出力装置側制御部と、該画像出力装置側制御部が受信した画像信号に基づく画像を出力する画像出力部とを具備する複数の画像出力装置と、画像信号に基づく画像を表示する情報端末側表示部と、該情報端末側表示部に表示させる画像の画像信号を受信する情報端末側制御部とを具備する少なくとも１つの情報端末と、を有する画像表示システムにおける画像表示方法であって、
前記複数の表示領域と前記複数の画像出力装置との対応付けを示す表示画像識別入力、および、前記複数の表示領域のいずれかを選択する表示領域選択入力とを受け付け、これらの各入力を前記画像供給装置側制御部へ通知する処理と、
前記表示画像識別入力が通知されると、前記画像供給装置側制御部が各表示領域に表示される画像の画像信号を各表示領域に対応付けられた画像出力装置へ送信し、前記表示領域選択入力が通知されると、前記画像供給装置側制御部が、選択された表示領域に表示される画像を出力する画像出力装置に対し、送信した画像信号を前記情報端末へ転送することを要求する画像転送要求を送信する処理と、
前記画像出力装置側制御部が、前記画像信号を受信すると、該受信した画像信号に基づく画像を前記画像出力部に出力させ、前記画像転送要求を受信すると、前記受信した画像信号を前記情報端末側制御部へ送信する処理と、
前記情報端末側制御部が、前記画像信号を受信すると、該受信した画像信号に基づく画像を前記情報端末側表示部に表示させる処理とを有する。
【００１９】
また、複数の画像出力装置と、少なくとも１つの情報端末とともに画像表示システムを構成し、前記複数の画像出力装置それぞれに表示させる複数の画像の画像信号を生成する画像供給装置側制御部と、複数の表示領域のそれぞれに、前記複数の画像信号のいずれかによる画像を表示する画像供給装置側表示部とを有する画像供給装置に、
前記複数の表示領域と前記複数の画像出力装置との対応付けを示す表示画像識別入力、および、前記複数の表示領域のいずれかを選択する表示領域選択入力とを受け付け、これらの各入力を前記画像供給装置側制御部へ通知する機能と、
前記表示画像識別入力が通知されると、前記画像供給装置側制御部が各表示領域に表示される画像の画像信号を各表示領域に対応付けられた画像出力装置へ送信し、前記表示領域選択入力が通知されると、前記画像供給装置側制御部が、選択された表示領域に表示される画像を出力する画像出力装置に対し、送信した画像信号を前記情報端末へ転送することを要求する画像転送要求を送信する機能とを実現させる。
【００２０】
また、少なくとも１つの情報端末と、画像信号を供給する画像供給装置とともに画像表示システムを構成し、前記画像供給装置から送信される画像信号を受信する画像出力装置側制御部と、該画像出力装置側制御部が受信した画像信号に基づく画像を出力する画像出力部とを有する画像出力装置に、
前記画像出力装置側制御部が、前記画像信号を受信すると、該受信した画像信号に基づく画像を前記画像出力部に出力させ、前記画像供給装置が送信した画像信号を前記情報端末へ転送することを要求する画像転送要求を受信すると、前記受信した画像信号を前記情報端末へ送信する機能を実現させる。
【００２１】
また、複数の画像出力装置と、画像信号を供給する画像供給装置とともに画像表示システムを構成し、画像信号に基づく画像を表示する情報端末側表示部と、該情報端末側表示部に表示させる画像の画像信号を受信する情報端末側制御部とを有する情報端末に、
前記複数の画像出力装置のいずれかを選択する画像出力装置選択入力を受け付け、前記画像出力装置選択入力を前記情報端末装置側制御部へ通知する機能と、
前記画像出力装置選択入力が通知されると、前記情報端末側制御部が、前記画像出力装置選択入力に示される画像出力装置に対し、該画像出力装置が受信した画像信号の送信を要求する画像送信要求を送信し、その後、前記情報端末側制御部が、前記画像出力装置選択入力に示される画像出力装置から送信された画像信号を受信すると、該受信した画像信号に基づく画像を前記情報端末側表示部に表示させる機能を実現させる。
【００２２】
本発明は、以上説明したように構成されているので、複数の資料の画像を同時に出力させる場合でも、複数の画像供給装置を準備する必要がない。
【００２３】
また、出力されている複数の資料の画像のうち、現在注目すべき資料の画像がわからなくなることを回避できる。
【図面の簡単な説明】
【００２４】
【図１】本発明の第１の実施の形態を示す図であり、プレゼンテーションシステムの一例を示す図である。
【図２】図１に示したコンピュータの構成を示すブロック図である。
【図３】図１に示したクライアント端末の構成を示すブロック図である。
【図４】図１に示したプロジェクターの構成を示すブロック図である。
【図５】図１に示したプレゼンテーションシステムの動作を説明するためのフローチャートである。
【図６】図２に示した表示画面にプロジェクターを検索するためのボタンを含むウィンドウが表示されている状態を示す図である。
【図７】図２に示した表示画面に表示されている、表示領域のそれぞれに表示されている画像と、それらの画像を投射するプロジェクターとの対応付けを行うための画面の一例を示す図である。
【図８】記憶部が記憶している対応付けテーブルの一構成例を示す図である。
【図９】図２に示した表示画面にプレゼンテーションを開始するためのプレゼンテーション開始ボタン含むウィンドウが表示されている状態を示す図である。
【図１０】プロジェクターの投射画面を示す図である。
【図１１】表示領域とプロジェクターとの対応付けを変更する前の画像の表示状態を示す図である。
【図１２】図１に示したプレゼンテーションシステムの動作を説明するためのフローチャートである。
【図１３】図２に示した表示画面に表示されている、表示領域のそれぞれに表示されている画像と、それらの画像を投射するプロジェクターとの対応付けを行うための画面の他の例を示す図である。
【図１４】表示領域とプロジェクターとの対応付けを変更した後の画像の表示状態を示す図である。
【図１５】プレゼンテーションの聴講者がクライアント端末を操作する前の画像の表示状態を示す図である。
【図１６】図１に示したプレゼンテーションシステムの動作を説明するためのフローチャートである。
【図１７】図２に示した表示画面にプロジェクターを選択するための端末名ボタンを含むウィンドウが表示されている状態を示す図である。
【図１８】プレゼンテーションの聴講者がクライアント端末を操作した後の画像の表示状態を示す図である。
【発明を実施するための最良の形態】
【００２５】
以下に、本発明の実施の形態について図面を参照して説明する。
（第１の実施の形態）
図１は、本発明の第１の実施の形態を示す図であり、プレゼンテーションシステムの一例を示している。【００２６】
本形態のプレゼンテーションシステムは図１に示すように、プレゼンテーションの発表者が使用する画像供給装置であるコンピュータ１０と、プレゼンテーションの聴講者が使用する情報端末である複数のクライアント端末２０ａ〜２０ｎと、画像出力装置である複数のプロジェクター３０ａ〜３０ｎと、各プロジェクター３０ａ〜３０ｎが投射する画像を表示する複数のスクリーン（不図示）とを備えている。コンピュータ１０と、クライアント端末２０ａ〜２０ｎと、プロジェクター３０ａ〜３０ｎとはＬＡＮ（ＬｏｃａｌＡｒｅａＮｅｔｗｏｒｋ）１により接続されており、相互に通信を行うことが可能である。【００２７】
本形態のプレゼンテーションシステムでは、コンピュータ１０の表示部の表示画面は、複数の表示領域に分割されており、プレゼンテーションで使用する複数のプレゼンテーション資料がそれぞれの表示領域に表示される。【００２８】
また、コンピュータ１０の表示部の表示画面の各表示領域に表示されている画像をプロジェクター３０ａ〜３０ｎ及びクライアント端末２０ａ〜２０ｎに表示させることができる。【００２９】
図２は、図１に示したコンピュータ１０の構成を示すブロック図である。【００３０】
図２に示すようにコンピュータ１０は、画像供給装置側制御部である制御部１１と、通信ＩＦ（インタフェース）部１２と、第１の入力手段であるＵＩ（ユーザインタフェース）部１３と、記憶部１４と、画像供給装置側表示部である表示部１５とを備えている。【００３１】
また、図２に示すように表示部１５が表示する表示画面１５−１は複数の表示領域１５ａ〜１５ｄに分割されている。【００３２】
制御部１１は、コンピュータ１０の動作を制御するものであり、代表的な動作としては以下が挙げられる。
（１）画像信号を生成し、生成した画像信号に基づく画像を表示部１５に表示させる。
（２）表示領域１５ａ〜１５ｄ毎の画像の画像信号を生成する。
（３）ＵＩ部１３から表示領域１５ａ〜１５ｄと、その表示領域１５ａ〜１５ｄに表示されている画像を表示させるプロジェクター３０ａ〜３０ｎとの対応付けを示す制御信号を受信し、その対応付けの内容を記憶部１４に記憶させる。また、各表示領域１５ａ〜１５ｄに表示されている画像の画像信号を対応付けられたプロジェクター３０ａ〜３０ｎへ通信ＩＦ部１２を介して送信する。
（４）ＬＡＮ１上の各装置へＩＰアドレス及び端末名の送信を要求するための返信要求コマンドを一斉同報し、その返信要求コマンドに対する返信要求レスポンスを各装置から受信すると、その返信要求レスポンスに含まれているＩＰアドレスと端末名とを対応付けて記憶部１４に記憶させる。【００３３】
通信ＩＦ部１２は、ＬＡＮ１上の各装置との通信を仲介する。【００３４】
ＵＩ部１３は、コンピュータ１０の操作者から表示領域１５ａ〜１５ｄと、その表示領域１５ａ〜１５ｄに表示されている画像を表示させるプロジェクター３０ａ〜３０ｎとの対応付けを受け付け、受け付けた内容を制御信号として制御部１１へ送信する。【００３５】
記憶部１４は、コンピュータ１０のＩＰアドレス及び端末名を記憶している。また、制御部１１が受信した返信要求レスポンスに含まれているＩＰアドレスと端末名とを対応付けて記憶する。また、表示領域１５ａ〜１５ｄと、その表示領域１５ａ〜１５ｄに表示されている画像を表示させるプロジェクター３０ａ〜３０ｎとの対応付けを記憶する。【００３６】
表示部１５は、制御部１１で生成された画像信号に基づく画像を表示する。【００３７】
図３は、図１に示したクライアント端末２０ａの構成を示すブロック図である。なお、クライアント端末２０ｂ〜２０ｎも同じ構成である。【００３８】
図３に示すように、クライアント端末２０ａは、情報端末側制御部である制御部２１と、通信ＩＦ（インタフェース）部２２と、第２の入力手段であるＵＩ部２３と、記憶部２４と、情報端末側表示部である表示部２５とを備えている。【００３９】
制御部２１は、クライアント端末２０ａの動作を制御するものであり、代表的な動作としては以下が挙げられる。
（１）通信ＩＦ部２２を介して画像信号を受信し、受信した画像信号に基づく画像を表示部２５に表示させる。
（２）ＵＩ部２３から、クライアント端末２０ａの操作者が選択したクライアント端末２０ａに表示させたい画像が表示されているプロジェクター３０ａ〜３０ｎの端末名を示す制御信号を受信し、その端末名を記憶部２４に記憶させる。
（３）ＬＡＮ１上の各装置へＩＰアドレス及び端末名の送信を要求するための返信要求コマンドを一斉同報し、その返信要求コマンドに対する返信要求レスポンスを各装置から受信すると、その返信要求レスポンスに含まれているＩＰアドレスと端末名とを対応付けて記憶部２４に記憶させる。
（４）ＵＩ部２３から、クライアント端末２０ａの操作者が選択したクライアント端末２０ａに表示させたい画像を投射しているプロジェクター３０ａ〜３０ｎへ画像送信要求を送信する。
（５）ＩＰアドレス及び端末名の送信を要求するための返信要求コマンドを受信すると、記憶部２４から自端末のＩＰアドレス及び端末名を含む返信要求レスポンスを返信要求コマンドの送信元へ送信する。【００４０】
通信ＩＦ部２２は、ＬＡＮ１上の各装置との通信を仲介する。【００４１】
ＵＩ部２３は、クライアント端末２０ａの操作者から、クライアント端末２０ａに表示させたい画像を投射しているプロジェクター３０ａ〜３０ｎの端末名の選択を受け付け、受け付けた内容を制御信号として制御部１１へ送信する。【００４２】
記憶部２４は、コンピュータ１０のＩＰアドレス及び端末名を記憶している。また、制御部２１が受信した返信要求レスポンスに含まれているＩＰアドレスと端末名とを対応付けて記憶する。【００４３】
表示部２５は、制御部２１が生成または受信した画像信号に基づく画像を表示する。【００４４】
図４は、図１に示したプロジェクター３０ａの構成を示すブロック図である。なお、プロジェクター３０ｂ〜３０ｎも同じ構成である。【００４５】
図４に示すように、プロジェクター３０ａは、画像出力装置側制御部である制御部３１と、通信ＩＦ部３２と、記憶部３３と、画像出力部である投射部３４とを備えている。【００４６】
制御部３1は、プロジェクター３０ａの動作を制御するものであり、代表的な動作としては以下が挙げられる。
（１）通信ＩＦ部３２を介して画像信号を受信し、受信した画像信号に基づく画像を投射部３４に投射させる。
（２）ＬＡＮ１上の各装置へＩＰアドレス及び端末名の送信を要求するための返信要求コマンドを一斉同報し、その返信要求コマンドに対する返信要求レスポンスを受信すると、その返信要求レスポンスに含まれているＩＰアドレスと端末名とを対応付けて記憶部３３に記憶させる。
（３）コンピュータ１０から受信した画像信号を通信ＩＦ部３２を介してクライアント端末２０ａ〜２０ｂへ送信する。
（４）ＩＰアドレス及び端末名の送信を要求するための返信要求コマンドを受信すると、記憶部２４から自端末のＩＰアドレス及び端末名を含む返信要求レスポンスを返信要求コマンドの送信元へ送信する。【００４７】
通信ＩＦ部３２は、ＬＡＮ１上の各装置との通信を仲介する。【００４８】
記憶部３３は、自装置のＩＰアドレス及び端末名を記憶している。また、制御部３１が受信した返信要求レスポンスに含まれているＩＰアドレスと端末名とを対応付けて記憶する。【００４９】
以下に、上記のように構成されたプレゼンテーションシステムにおいて、プレゼンテーションの発表者がコンピュータ１０を操作することにより、表示画面１５−１の表示領域１５ａ〜１５ｄに表示されている画像をプロジェクター３０ａ〜３０ｎ及びクライアント端末２０ａ〜２０ｎに表示させる場合について説明する。【００５０】
なお、ここでは、コンピュータ１０の端末名を「ＭＰＣ」とし、クライアント端末２０ａ〜２０ｎの端末名をそれぞれ「ＰＣａ」〜「ＰＣｎ」とし、プロジェクター３０ａ〜３０ｎの端末名をそれぞれ「ＰＪａ」〜「ＰＪｎ」とする。【００５１】
また、表示領域１５ａ〜１５ｄの表示領域名をそれぞれ「Ｓａ〜Ｓｄ」とする。【００５２】
また、図２に示したように表示画面１５−１の表示領域１５ａ〜１５ｄには、プレゼンテーションで使用するそれぞれ異なるプレゼンテーション資料が表示されている。【００５３】
図５は、図１に示したプレゼンテーションシステムの動作を説明するためのフローチャートであり、表示画面１５−１の表示領域１５ａ〜１５ｄの画像をプロジェクター３０ａ〜３０ｎ及びクライアント端末２０ａ〜２０ｎに表示させる場合のコンピュータ１０、プロジェクター３０ａ〜３０ｎ及びクライアント端末２０ａ〜２０ｎの動作を示している。【００５４】
なお、以下に説明する動作フローにおいては、ステップＳ1〜Ｓ１４まではプレゼンテーションの開始前の動作であり、ステップＳ１５〜Ｓ１９がプレゼンテーション開始後の動作である。【００５５】
まず、発表者は、コンピュータ１０においてマウスやキーボード等の入力装置（不図示）を使用し、ＬＡＮ１上にあるプロジェクター３０ａ〜３０ｎを検索するための画面を表示部１５に表示させる指示を行う。【００５６】
ＵＩ部１３を介して画面表示を指示する制御信号を受信した制御部１１は、ＬＡＮ１上にあるプロジェクター３０ａ〜３０ｎを検索するための画面を表示部１５に表示させる。【００５７】
図６は、図２に示した表示画面１５−１を示す図であり、プロジェクター３０ａ〜３０ｎを検索するためのプロジェクター検索ボタンを含むウィンドウが表示されている状態を示している。【００５８】
次に、発表者は、図６に示すプロジェクター検索ボタン２をマウスやキーボード等の入力装置を使用して押下する。【００５９】
発表者からプロジェクターの検索ボタン２の押下を受け付けたＵＩ部１３は、受け付けた内容を制御信号に変換し、その制御信号を制御部１１へ送信する。【００６０】
ＵＩ部１３から送信された制御信号を受信した制御部１１は、ＩＰアドレス及び端末名の返信を要求するための返信要求コマンドを生成する。そして、記憶部１４からコンピュータ１０のＩＰアドレスを取得し、取得したＩＰアドレスを送信元アドレスとして生成した返信要求コマンドを通信ＩＦ部１２を介してＬＡＮ１に一斉同報する（ステップＳ１）。なお、この場合、ＬＡＮ１上にあるクライアント端末２０ａ〜２０ｎへも返信要求コマンドは送信されるが、図５のフローチャートでは記載を省略している。【００６１】
プロジェクター３０ａ〜３０ｎの制御部３１は、コンピュータ１０から送信された返信要求コマンドを通信ＩＦ部３２を介して受信する（ステップＳ２）。【００６２】
そして、制御部３１は、記憶部３３から自装置のＩＰアドレス及び端末名を取得し、受信した返信要求コマンドの送信元であるコンピュータ１０を送信先として取得したＩＰアドレス及び端末名を含む返信要求レスポンスを送信する（ステップＳ３）。なお、この場合、ＬＡＮ１上にあるクライアント端末２０ａ〜２０ｎからも返信要求レスポンスは送信されるが、図５のフローチャートでは記載を省略している。【００６３】
コンピュータ１０の制御部１１は、返信要求レスポンスを受信する（ステップＳ４）。【００６４】
そして、制御部１１は、当該返信要求レスポンスに含まれている端末名から、受信した返信要求レスポンスの送信元がプロジェクター３０ａ〜３０ｎであるかどうかを判断し、プロジェクター３０ａ〜３０ｎであると判断したものだけについて、受信したＩＰアドレスと端末名とを対応付けて記憶部１４に記憶させる（ステップＳ５）。ここでは、プロジェクター３０ａ〜３０ｎであることを示す「ＰＪ」から始まる端末名を有するもののみ記憶させる。【００６５】
そして、制御部１１は、表示領域１５ａ〜１５ｄとプロジェクター３０ａ〜３０ｎとの対応付けを行うための画面を表示部１５に表示させる。（ステップＳ６）。【００６６】
図７は、図２に示した表示画面１５−１を示す図であり、表示領域１５ａ〜１５ｄのそれぞれに表示されている画像と、それらの画像を投射するプロジェクター３０ａ〜３０ｎとの対応付けを行うための画面の一例を示している。この対応付けを行うための画面上に表示されている端末名及びＩＰアドレスは、ステップＳ５において記憶部２４に記憶させた端末名及びＩＰアドレスである。【００６７】
ここで、発表者は、マウスやキーボード等の入力装置を使用し、表示領域１５ａ〜１５ｄに表示されている画像をどのプロジェクター３０ａ〜３０ｎで投射させるかの対応付けを行う。【００６８】
例えば、表示領域１５ａ（表示領域名：Ｓａ）に表示されている画像をプロジェクター３０ａ（端末名：ＰＪａ）に投射させたい場合、図７に示すように、表示領域１５ａの表示領域名である「Ｓａ」と、プロジェクター３０ａの端末名である「ＰＪａ」とを矢印で結ぶことによって対応付ける。【００６９】
また、発表者は、自身が特に重要であると判断したプレゼンテーション資料、例えば、説明に使用する主なプレゼンテーション資料が表示されている表示領域名を図７に示す重要領域選択ボタン３ａ〜３ｂで選択する。図７では表示領域１５ａ（表示領域名：Ｓａ）が、重要な表示領域であると判断され、重要領域選択ボタン３ａにより選択されている。【００７０】
そして、発表者は、表示領域１５ａ〜１５ｄとプロジェクター３０ａ〜３０ｎとの対応付けと、重要な表示領域の選択とを行った後、図７に示す確定ボタン４を押下する。確定ボタン４が押下されると、表示画面１５−１には、プレゼンテーションを開始する際に押下するプレゼンテーション開始ボタンを含むウィンドウが表示される。このプレゼンテーション開始ボタンについては、後述する。【００７１】
確定ボタン４が押下されることにより、ＵＩ部１３は、発表者から、表示領域１５ａ〜１５ｄとプロジェクター３０ａ〜３０ｎとの対応付けと、重要な表示領域の選択とを受け付け（ステップＳ７）、その受け付けた内容を制御信号として制御部１１へ送信する。【００７２】
ＵＩ部１３から送信された制御信号を受信した制御部１１は、その制御信号が示す表示領域１５ａ〜１５ｄとプロジェクター３０ａ〜３０ｎとの対応付けの内容と、重要な表示領域の選択の内容とを記憶部１４が有している対応付けテーブルに記憶させる（ステップＳ８）。【００７３】
図８は、記憶部１４が記憶している対応付けテーブルの一構成例を示す図である。【００７４】
図８に示すように対応付けテーブル１６は、表示領域名カラム１６ａと、端末名カラム１６ｂと、重要カラム１６ｃとを有している。【００７５】
表示領域名カラム１６ａと端末名カラム１６ｂとには、発表者が行った対応付けの内容が書き込まれる。例えば、ここでは、発表者は、図７に示したように表示領域名と端末名とを対応付けているため、図８に示すように表示領域名カラム１６ａで表示領域名「Ｓａ」に対応する端末名カラム１６ｂには、端末名「ＰＪａ」が書き込まれる。【００７６】
また、発表者が、図７に示した画面において、重要領域選択ボタン３ａにより選択した表示領域名「Ｓａ」に対応する重要カラム１６ｃに重要な表示領域であることを示す「１」が書き込まれる。他の表示領域名に対応する重要カラム１６ｃには、重要な表示領域ではないことを示す「０」が書き込まれる。【００７７】
次に、制御部１１は、記憶部１４に記憶されている対応付けテーブル１６の重要カラム１６ｃに「１」が書き込まれている端末名を端末名カラム１６ｂから取得する。ここでは、制御部１１は、端末名カラム１６ｂから「ＰＪａ」を取得する。【００７８】
そして、制御部１１は、取得した端末名に対応付けられたＩＰアドレスを記憶部１４から取得し、そのＩＰアドレスを送信先アドレスとして、画像信号をクライアント端末２０ａ〜２０ｎへ転送させるための画像転送要求を通信ＩＦ部１２を介して送信する（ステップＳ９）。ここでは、制御部１１はプロジェクター３０ａへ画像転送要求を送信する。【００７９】
コンピュータ１０から送信された画像転送要求を受信したプロジェクター３０ａの制御部３１は、コンピュータ１０から送信された画像転送要求を通信ＩＦ部３２を介して受信する（ステップＳ１０）。なお、本動作は複数のプロジェクター３０ａ〜３０ｎのうち、重要な表示領域として選択された表示領域１５ａの画像を表示するプロジェクター３０ａのみの動作である。以降、図５に示したフローチャートのプロジェクター３０ａ〜３０ｎの動作のうち、ステップＳ１０，Ｓ１１，Ｓ１４，Ｓ１８の動作は、プロジェクター３０ａのみの動作である。【００８０】
次に、制御部３１は、ＩＰアドレス及び端末名の返信を要求するための返信要求コマンドを生成する。そして、記憶部３３から自装置のＩＰアドレスを取得し、取得したＩＰアドレスを送信元アドレスとして生成した返信要求コマンドを通信ＩＦ部１２を介してＬＡＮ１に一斉同報する（ステップＳ１１）。なお、この場合、ＬＡＮ１上にあるコンピュータ１０及びプロジェクター３０ｂ〜３０ｎへも返信要求コマンドは送信されるが、図５のフローチャートでは記載を省略している。【００８１】
クライアント端末２０ａ〜２０ｎの制御部２１は、プロジェクター３０ａから送信された返信要求コマンドを通信ＩＦ部２２を介して受信する（ステップＳ１２）。【００８２】
そして、制御部２１は、記憶部２４から自端末のＩＰアドレス及び端末名を取得し、受信した返信要求コマンドの送信元であるプロジェクター３０ａを送信先として取得したＩＰアドレス及び端末名を含む返信要求レスポンスを送信する（ステップＳ１３）。なお、この場合、ＬＡＮ１上にあるコンピュータ１０及びプロジェクター３０ｂ〜３０ｎからも返信要求レスポンスは送信されるが、図５のフローチャートでは記載を省略している。【００８３】
プロジェクター３０ａの制御部３１は、返信要求レスポンスを受信すると、当該返信要求レスポンスに含まれている端末名から、受信した返信要求レスポンスの送信元がクライアント端末２０ａ〜２０ｎであるかどうかを判断し、クライアント端末２０ａ〜２０ｎであると判断したものだけについて、受信したＩＰアドレスと端末名とを対応づけて記憶部３３に記憶させる（ステップＳ１４）。ここでは、クライアント端末２０ａ〜２０ｎであることを示す「ＰＣ」から始まる端末名を有するもののみ記憶させる。【００８４】
ここまでが、プレゼンテーションの準備段階の動作である。以下にプレゼンテーションが開始されてからの動作について説明する。【００８５】
図９は、図２に示した表示画面１５−１を示す図であり、プレゼンテーションを開始するためのプレゼンテーション開始ボタン含むウィンドウが表示されている状態を示している。【００８６】
発表者は、図９に示すこのプレゼンテーション開始ボタン５をマウスやキーボード等の入力装置を使用して押下する。【００８７】
発表者からプレゼンテーション開始ボタン５の押下を受け付けたＵＩ部１３は、その内容を制御信号として制御部１１へ送信する。【００８８】
ＵＩ部１３から制御信号を受信した制御部１１は、表示領域１５ａ〜１５ｄ毎に画像信号を生成する（ステップＳ１５）。【００８９】
そして、ステップＳ８において記憶部１４に記憶させた対応付けテーブルを取得し、その対応付けの内容に従い、生成した表示領域１５ａ〜１５ｄ毎の画像信号を通信ＩＦ部１２を介してプロジェクター３０ａ〜３０ｎへ送信する（ステップＳ１６）。【００９０】
コンピュータ１０から送信された画像信号を通信ＩＦ３２を介して受信したプロジェクター３０ａ〜３０ｎの制御部３１は、受信した画像信号に基づく画像を投射部３４に投射させる（ステップＳ１７）。【００９１】
図１０は、プロジェクター３０ａの投射画面を示す図である。【００９２】
図１０に示すようにプロジェクター３０ａは、コンピュータ１０から送信された画像信号に基づき、プロジェクター３０ａが投射する画面のサイズに拡大して画像を表示する。なお、図１０においては、説明をわかりやすくするため、プロジェクター３０ｂ〜３０ｎ及びそれらが投射している画像は省略しているが、プロジェクター３０ｂ〜３０ｎも同様に、コンピュータ１０から送信された画像信号に基づき、投射する画面のサイズに拡大して画像を投射する。【００９３】
次に、プロジェクター３０ａの制御部３１は、ステップＳ１０において画像転送要求を受信しているため、ステップＳ１４において記憶したＩＰアドレスを有するクライアント端末２０ａ〜２０ｎへコンピュータ１０から受信している画像信号を通信ＩＦ部３２を介して送信する（ステップＳ１８）。【００９４】
プロジェクター３０ａから送信された画像信号を通信ＩＦ２２を介して受信したクライアント端末２０ａ〜２０ｎの制御部２１は、受信した画像信号に基づく画像を表示部２５に表示させる（ステップＳ１９）。【００９５】
このように第１の実施の形態においては、１台のコンピュータ１０の表示画面１５−１に表示されている画像の一部をそれぞれ複数のプロジェクター３０ａ〜３０ｎで同時に表示することができる。また、発表者は、クライアント端末２０ａ〜２０ｎに表示させる画像の選択をすることができるので、聴講者は、注目すべきプレゼンテーション資料の画像を認識することができる。【００９６】
また、発表者は、プレゼンテーションの途中で表示領域１５ａ〜１５ｄとプロジェクター３０ａ〜３０ｎとの対応付けを変更することが可能である。【００９７】
以下に、プレゼンテーションの発表者がコンピュータ１０を操作することにより、プレゼンテーションの途中で表示領域１５ａ〜１５ｄとプロジェクター３０ａ〜３０ｎとの対応付けを変更する場合について説明する。【００９８】
より具体的には、現在、プロジェクター３０ａによって大きなスクリーンに投射されている表示領域１５ａの画像をプロジェクター３０ｂによって小さなスクリーンに投射させ、現在、プロジェクター３０ｂによって小さなスクリーンに投射されている表示領域１５ｂの画像をプロジェクター３０ａによって大きなスクリーンに投射させる場合を想定する。また、重要な表示領域を表示領域１５ａから表示領域１５ｂに変更する。【００９９】
図１１は、表示領域１５ａ〜１５ｄとプロジェクター３０ａ〜３０ｎとの対応付けを変更する前の画像の表示状態を示す図である。【０１００】
図１１に示すようにプロジェクター３０ａは表示領域１５ａに表示されている画像を投射し、プロジェクター３０ｂは表示領域１５ｂに表示されている画像を投射している。また、重要な領域として表示領域１５ａが選択されており、クライアント端末２０ａの表示部２５が表示する表示画面２５−１には、表示領域１５ａに表示されている画像が表示されている。クライアント端末２０ｂ〜２０ｎの表示部２５も同様に、表示領域１５ａに表示されている画像を表示している。なお、図１１においては、プロジェクター３０ｃ〜３０ｎ及びそれらが投射している画像は省略している。【０１０１】
図１２は、図１に示したプレゼンテーションシステムの動作を説明するためのフローチャートであり、表示領域１５ａ〜１５ｄとプロジェクター３０ａ〜３０ｎとの対応付けを変更する場合のコンピュータ１０、プロジェクター３０ａ〜３０ｎ及びクライアント端末２０ａ〜２０ｎの動作を示している。【０１０２】
まず、発表者は、コンピュータ１０においてマウスやキーボード等の入力装置を使用し、表示領域１５ａ〜１５ｄとプロジェクター３０ａ〜３０ｎとの対応付けを行うための画面を表示部１５に表示させる指示を行う。【０１０３】
ＵＩ部１３を介して画面表示を指示する制御信号を受信した制御部１１は、表示領域１５ａ〜１５ｄとプロジェクター３０ａ〜３０ｎとの対応付けを行うための画面を表示部１５に表示させる（ステップＳ３１）。【０１０４】
図１３は、図２に示した表示部１５の表示画面１５−１を示す図であり、表示領域１５ａ〜１５ｄのそれぞれに表示されている画像と、それらの画像を投射するプロジェクター３０ａ〜３０ｎとの対応付けを行うための画面の他の例を示している。【０１０５】
ここで、発表者は、マウスやキーボード等の入力装置を使用し、表示領域１５ａ〜１５ｄに表示されている画像をどのプロジェクター３０ａ〜３０ｎで投射させるかの対応付けを行う。【０１０６】
ここでは、表示領域１５ｂ（表示領域名：Ｓｂ）に表示されている画像をプロジェクター３０ａ（端末名：ＰＪａ）に投射させ、表示領域１５ａ（表示領域名：Ｓａ）に表示されている画像をプロジェクター３０ｂ（端末名：ＰＪｂ）に投射させるので、図１３に示すように、表示領域１５ｂの表示領域名である「Ｓｂ」と、プロジェクター３０ａの端末名である「ＰＪａ」とを矢印で結び、表示領域１５ａの表示領域名である「Ｓａ」と、プロジェクター３０ｂの端末名である「ＰＪｂ」とを矢印で結ぶことによって対応付ける。【０１０７】
また、発表者は、重要な表示領域を表示領域１５ｂ（表示領域名：Ｓｂ）に変更するため、重要領域選択ボタン３ｂにて表示領域名Ｓｂを選択する。【０１０８】
そして、発表者は、表示領域１５ａ〜１５ｄとプロジェクター３０ａ〜３０ｎとの対応付けと、重要な表示領域の選択とを行った後、図１３に示す確定ボタン４を押下する。【０１０９】
確定ボタン４が押下されることにより、ＵＩ部１３は、発表者から、表示領域１５ａ〜１５ｄとプロジェクター３０ａ〜３０ｎとの対応付けと、重要な表示領域の選択とを受け付け（ステップＳ３２）、その受け付けた内容を制御信号として制御部１１へ送信する。【０１１０】
ＵＩ部１３から送信された制御信号を受信した制御部１１は、その制御信号が示す表示領域１５ａ〜１５ｄとプロジェクター３０ａ〜３０ｎとの対応付けの内容と、重要な表示領域の選択の内容とを記憶部１４が有している対応付けテーブル１６に記憶させる（ステップＳ３３）。【０１１１】
次に、制御部１１は、記憶部１４に記憶されている対応付けテーブル１６の重要カラム１６ｃに「１」が書き込まれている端末名を端末名カラム１６ｂから取得する。ここでは、制御部１１は、端末名カラム１６ｂから「ＰＪａ」を取得する。【０１１２】
そして、制御部１１は、取得した端末名に対応付けられたＩＰアドレスを記憶部１４から取得し、そのＩＰアドレスを送信先アドレスとして、画像信号をクライアント端末２０ａ〜２０ｎへ転送させるための画像転送要求を通信ＩＦ部１２を介して送信する（ステップＳ３４）。ここでは、プロジェクター３０ａ（端末名：ＰＪａ）に表示させる表示領域１５ｂが重要な表示領域となっているため、制御部１１はプロジェクター３０ａへ画像転送要求を送信する。【０１１３】
コンピュータ１０から送信された画像転送要求を受信したプロジェクター３０ａの制御部３１は、コンピュータ１０から送信された画像転送要求を通信ＩＦ部３２を介して受信する（ステップＳ３５）。なお、本動作は複数のプロジェクター３０ａ〜３０ｎのうち、重要な表示領域として選択された表示領域１５ｂの画像を表示するプロジェクター３０ａのみの動作である。以降、図１２に示したフローチャートのプロジェクター３０ａ〜３０ｎの動作のうち、ステップＳ３５，Ｓ３６，Ｓ３９，Ｓ４２の動作は、プロジェクター３０ａのみの動作である。【０１１４】
次に、制御部３１は、ＩＰアドレス及び端末名の返信を要求するための返信要求コマンドを生成する。そして、記憶部３３から自装置のＩＰアドレスを取得し、取得したＩＰアドレスを送信元アドレスとして生成した返信要求コマンドを通信ＩＦ部１２を介してＬＡＮ１に一斉同報する（ステップＳ３６）。なお、この場合、ＬＡＮ１上にあるコンピュータ１０及びプロジェクター３０ｂ〜３０ｎへも返信要求コマンドは送信されるが、図１２のフローチャートでは記載を省略している。【０１１５】
クライアント端末２０ａ〜２０ｎの制御部２１は、プロジェクター３０ａから送信された返信要求コマンドを通信ＩＦ部２２を介して受信する（ステップＳ３７）。【０１１６】
そして、制御部２１は、記憶部２４から自端末のＩＰアドレス及び端末名を取得し、受信した返信要求コマンドの送信元であるプロジェクター３０ａを送信先として取得したＩＰアドレス及び端末名を含む返信要求レスポンスを送信する（ステップＳ３８）。なお、この場合、ＬＡＮ１上にあるコンピュータ１０及びプロジェクター３０ｂ〜３０ｎからも返信要求レスポンスは送信されるが、図１２のフローチャートでは記載を省略している。【０１１７】
プロジェクター３０ａの制御部３１は、返信要求レスポンスを受信すると、当該返信要求レスポンスに含まれている端末名から、受信した返信要求レスポンスの送信元がクライアント端末２０ａ〜２０ｎであるかどうかを判断し、クライアント端末２０ａ〜２０ｎであると判断したものだけについて、受信したＩＰアドレスと端末名とを対応づけて記憶部３３に記憶させる（ステップＳ３９）。ここでは、クライアント端末２０ａ〜２０ｎであることを示す「ＰＣ」から始まる端末名を有するもののみ記憶させる。【０１１８】
次に、コンピュータ１０の制御部１１は、ステップＳ３３において記憶部１４に記憶させた対応付けテーブルを取得し、その対応付けの内容に従い、表示領域１５ａ〜１５ｄ毎の画像信号を通信ＩＦ部１２を介してプロジェクター３０ａ〜３０ｎへ送信する（ステップＳ４０）。【０１１９】
コンピュータ１０から送信された画像信号を通信ＩＦ３２を介して受信したプロジェクター３０ａ〜３０ｎの制御部３１は、受信した画像信号に基づいた画像を投射部３４に投射させる（ステップＳ４１）。【０１２０】
次に、プロジェクター３０ａの制御部３１は、ステップＳ３５において画像転送要求を受信しているため、ステップＳ３９において記憶したＩＰアドレスを有するクライアント端末２０ａ〜２０ｎへコンピュータ１０から受信している画像信号を通信ＩＦ部３２を介して送信する（ステップＳ４２）。【０１２１】
プロジェクター３０ａから送信された画像信号を通信ＩＦ２２を介して受信したクライアント端末２０ａ〜２０ｎの制御部２１は、受信した画像信号に基づいた画像を表示部２５に表示させる（ステップＳ４３）。【０１２２】
図１４は、表示領域１５ａ〜１５ｄとプロジェクター３０ａ〜３０ｎとの対応付けを変更した後の画像の表示状態を示す図である。【０１２３】
図１４に示すようにプロジェクター３０ａは表示領域１５ｂに表示されている画像を投射し、プロジェクター３０ｂは表示領域１５ａに表示されている画像を投射している。また、重要な表示領域として表示領域１５ｂが選択されたため、クライアント端末２０ａの表示部２５が表示する表示画面２５−１には、表示領域１５ｂに表示されている画像が表示されている。クライアント端末２０ｂ〜２０ｎの表示部２５も同様に、表示領域１５ｂに表示されている画像を表示している。なお、図１４においては、プロジェクター３０ｃ〜３０ｎ及びそれらが投射している画像は省略している。【０１２４】
このように、プレゼンテーションの発表者は、プレゼンテーションの途中でも表示領域と各表示領域に表示されている画像を表示するプロジェクターの対応付けを変更することにより、説明の状況にあったプレゼンテーション資料の表示を行うことができる。
（第２の実施の形態）
上述した第１の実施の形態では、プレゼンテーションの発表者が利用するコンピュータ１０からプロジェクター３０ａ〜３０ｎへコンピュータ１０の表示画面１５−１に表示されている画像を送信する場合について説明した。【０１２５】
第２の実施の形態では、図１に示したプレゼンテーションシステムにおいて、プレゼンテーションの聴講者がクライアント端末２０ａ〜２０ｎを操作することにより、プロジェクター３０ａ〜３０ｎのいずれかが投射している画像をクライアント端末２０ａ〜２０ｎで表示させる場合について説明する。【０１２６】
より具体的には、現在、クライアント端末２０ａで表示しているプロジェクター３０ａが投射している画像をプロジェクター３０ｃが投射している画像へ変更する場合を想定する。【０１２７】
図１５は、プレゼンテーションの聴講者がクライアント端末２０ａを操作する前の画像の表示状態を示す図である。【０１２８】
図１５に示すようにクライアント端末２０ａの表示部２５が表示する表示画面２５−１には、プロジェクター３０ａが投射している画像と同じ画像が表示されている。また、プロジェクター３０ｃは表示領域１５ｃに表示されている画像を投射している。なお、図１５においては、プロジェクタープロジェクター３０ｂ，３０ｄ〜３０ｎ及びそれらが投射している画像と、クライアント端末２０ｂ〜２０ｎ及びそれらが表示している画像とは省略している。【０１２９】
図１６は、図１に示したプレゼンテーションシステムの動作を説明するためのフローチャートであり、クライアント端末２０ａで表示されている画像を変更する場合のクライアント端末２０ａ及びプロジェクター３０ｃの動作を示している。【０１３０】
まず、クライアント端末２０ａを操作する聴講者は、クライアント端末２０ａにおいてマウスやキーボード等の入力装置を使用し、ＬＡＮ１上にあるプロジェクター３０ａ〜３０ｎを検索するための画面を表示部２５に表示させる指示を行う。【０１３１】
ＵＩ部２３を介して画面表示を指示する制御信号を受信した制御部２１は、ＬＡＮ１上にあるプロジェクター３０ａ〜３０ｎを検索するための画面を表示部２５に表示させる。ここで、表示部２５が表示する表示画面２５−１には、図６に示した画面と同様のプロジェクター検索ボタン２を含むウィンドウが表示されている。【０１３２】
次に、クライアント端末２０ａを操作する聴講者は、プロジェクター検索ボタン２をマウスやキーボード等の入力装置を使用して押下する。【０１３３】
クライアント端末２０ａを操作する聴講者からプロジェクター検索ボタン２の押下を受け付けたＵＩ部２３は、受け付けた内容を制御信号に変換し、その制御信号を制御部２１へ送信する。【０１３４】
ＵＩ部２３から送信された制御信号を受信した制御部２１は、ＩＰアドレス及び端末名の返信を要求するための返信要求コマンドを生成する。そして、記憶部２４からクライアント端末２０ａのＩＰアドレスを取得し、取得したＩＰアドレスを送信元アドレスとして生成した返信要求コマンドを通信ＩＦ部２２を介してＬＡＮ１に一斉同報する（ステップＳ５１）。【０１３５】
プロジェクター３０ｃの制御部３１は、クライアント端末２０ａから送信された返信要求コマンドを通信ＩＦ部３２を介して受信する（ステップＳ５２）。【０１３６】
そして、制御部３１は、記憶部３３から自装置のＩＰアドレス及び端末名を取得し、受信した返信要求コマンドの送信元であるクライアント端末２０ａを送信先として取得したＩＰアドレス及び端末名を含む返信要求レスポンスを送信する（ステップＳ５３）。【０１３７】
クライアント端末２０ａの制御部２１は、返信要求レスポンスを受信する（ステップＳ５４）。【０１３８】
そして、制御部２１は、当該返信要求レスポンスに含まれている端末名から、受信した返信要求レスポンスの送信元がプロジェクター３０ａ〜３０ｎであるかどうかを判断し、プロジェクター３０ａ〜３０ｎであると判断したものだけについて、受信したＩＰアドレスと端末名とを対応付けて記憶部２４に記憶させる（ステップＳ５５）。ここでは、プロジェクター３０ａ〜３０ｎであることを示す「ＰＪ」から始まる端末名を有するもののみ記憶させる。【０１３９】
次に、クライアント端末２０ａの制御部２１は、クライアント端末２０ａに表示させる画像を投射しているプロジェクター３０ａ〜３０ｎを選択するための画面を表示部２５に表示させる（ステップＳ５６）。【０１４０】
図１７は、図２に示した表示部２５が表示する表示画面２５−１を示す図であり、プロジェクター３０ａ〜３０ｎを選択するための端末名ボタンを含むウィンドウが表示されている状態を示している。【０１４１】
図１７に示すように表示画面２５−１には、複数のプロジェクター３０ａ〜３０ｄの端末名が記載された端末名ボタン６ａ〜６ｄを含むウィンドウが表示される。【０１４２】
次に、クライアント端末２０ａを操作する聴講者は、クライアント端末２０ａに表示させる画像を投射しているプロジェクター３０ａ〜３０ｄの端末名が記載された端末名ボタン６ａ〜６ｄのいずれかを押下する。ここでは、プロジェクター３０ｃの端末名である「ＰＪｃ」が記載された端末名ボタン６ｃが押下される。【０１４３】
クライアント端末２０ａのＵＩ部２３は、クライアント端末２０ａを操作する聴講者から端末名ボタン６ａ〜６ｄのいずれかの押下を受け付け（ステップＳ５７）、端末名を示す制御信号を制御部２１へ送信する。ここでは、ＵＩ部２３は、プロジェクタ３０ｃの端末名である「ＰＪｃ」を示す制御信号を制御部２１へ送信する。【０１４４】
ＵＩ部２３から送信された制御信号を受信した制御部２１は、制御信号が示す端末名を記憶部２４に記憶させる（ステップＳ５８）。【０１４５】
そして、制御部２１は、現在、クライアント端末２０ａへ画像を送信しているプロジェクター３０ａに対し、画像の送信の停止を求めるための画像送信停止要求を通信ＩＦ部２２を介して送信する（ステップＳ５９）。【０１４６】
クライアント端末２０ａから送信された画像送信停止要求を通信ＩＦ部３２を介して受け付けたプロジェクター３０ａの制御部３１は、クライアント端末２０ａへの画像の送信を停止する。【０１４７】
次に、制御部２１は、ステップＳ５８において記憶部２４に記憶させた端末名と同じ端末名をステップＳ５５においてＩＰアドレスと対応付けて記憶部２４に記憶させた端末名から検索し、一致した端末名に対応するＩＰアドレスを取得する（ステップＳ６０）。ここでは、ステップＳ５８において選択されたのがプロジェクター３０ｃ（端末名：ＰＪｃ）であるためプロジェクター３０ｃのＩＰアドレスが取得される。【０１４８】
次に、制御部２１は、ステップＳ６０において取得したＩＰアドレスを有するプロジェクターへ画像の送信を要求する画像送信要求を通信ＩＦ部３２を介して送信する（ステップＳ６１）。ここでは、プロジェクター３０ｃへ画像送信要求が送信される。【０１４９】
プロジェクター３０ｃの制御部３１は、クライアント端末２０ａから送信された画像送信要求を通信ＩＦ３２を介して受信する（ステップＳ６２）。【０１５０】
そして、制御部３１は、コンピュータ１０から受信している画像信号をクライアント端末２０ａへ送信する（ステップＳ６３）。【０１５１】
プロジェクター３０ｃから送信された画像信号を通信ＩＦ３２を介して受信したクライアント端末２０ａの制御部２１は、受信した画像信号に基づく画像を表示部２５に表示させる（ステップＳ６４）。【０１５２】
図１８は、プレゼンテーションの聴講者がクライアント端末２０ａを操作した後の画像の表示状態を示す図である。【０１５３】
図１８に示すようにクライアント端末２０ａの表示部２５が表示する表示画面２５−１には、プロジェクター３０ｃが投射している画像と同じ画像が表示されている。なお、図１８においては、プロジェクター３０ｂ，３０ｄ〜３０ｎ及びそれらが投射している画像と、クライアント端末２０ｂ〜２０ｎ及びそれらが表示している画像とは省略している。【０１５４】
このように第２の実施の形態においては、プレゼンテーションの聴講者は、任意のプロジェクターが投射している画像を自身のクライアント端末に表示させることができる。これにより、聴講者が注目している画像を間近に見ることができる。【０１５５】
なお、上述した２つの形態では、画像を表示するための装置としてプロジェクターを例として説明したが、画像を表示するための装置はプロジェクターに限定されるものではなく、画面の表示機能を有する他の装置、例えばディスプレイ等を含む。【０１５６】
また、上述した２つの形態では、プレゼンテーションの発表者が使用するコンピュータの表示部の表示画面は４つの表示領域に分割されている場合を例にして説明したが、表示領域数は４つに限定されるものではなく、４つより多くすることも少なくすることも可能である。【０１５７】
また、コンピュータ、クライアント端末及びプロジェクターを接続するＬＡＮは、有線ＬＡＮに限定されるものではなく、無線ＬＡＮを適用することも可能である。【０１５８】
なお、本発明においては、画像供給装置内、画像出力装置内及び情報端末内の処理は上述の専用のハードウェアにより実現されるもの以外に、その機能を実現するためのプログラムを画像供給装置、画像出力装置及び情報端末にて読取可能な記録媒体に記録し、この記録媒体に記録されたプログラムを画像供給装置、画像出力装置及び情報端末に読み込ませ、実行するものであっても良い。画像供給装置、画像出力装置及び情報端末にて読取可能な記録媒体とは、フロッピーディスク、光磁気ディスク、ＤＶＤ、ＣＤなどの移設可能な記録媒体の他、画像供給装置、画像出力装置及び情報端末に内蔵されたＨＤＤなどを指す。【０１５９】
以上、実施例を参照して本願発明を説明したが、本願発明は上記実施例に限定されるものではない。本願発明の構成や詳細には、本願発明のスコープ内で当業者が理解し得る様々な変更をすることができる。
【図１】
2010021047.tif 000003
【図２】
2010021047.tif 000004
【図３】
2010021047.tif 000005
【図４】
2010021047.tif 000006
【図５】
2010021047.tif 000007
【図６】
2010021047.tif 000008
【図７】
2010021047.tif 000009
【図８】
2010021047.tif 000010
【図９】
2010021047.tif 000011
【図１０】
2010021047.tif 000012
【図１１】
2010021047.tif 000013
【図１２】
2010021047.tif 000014
【図１３】
2010021047.tif 000015
【図１４】
2010021047.tif 000016
【図１５】
2010021047.tif 000017
【図１６】
2010021047.tif 000018
【図１７】
2010021047.tif 000019
【図１８】
2010021047.tif 000020
【国際調査報告】
2010021047.tif 000021
2010021047.tif 000022
2010021047.tif 000023
2010021047.tif 000024